(57)【要約】【課題】内容物がこぼれたりはねたりすることを抑制し、開封時の安定性を向上させたリフィルを提供する。【解決手段】再使用可能な詰替容器に内容物を移し替えるためのリフィルは、詰替容器の開口部に挿入可能な柱状の挿入部であって、開封時に引き裂かれて開口となる開封部の形状を規定する溝が側面に形成された挿入部と、開封部の一端に突設され、挿入部を詰替容器の開口部に挿入した状態において、詰替容器に設けられた被係合部と係合する係合片とを備える。また、係合片と被係合部とが係合した状態において、挿入部を軸としてリフィルと詰替容器とを相対的に回転させることにより、溝に沿って開封部が引き裂かれる。【選択図】図１
2016153321.tif 000002
【特許請求の範囲】
【請求項１】
再使用可能な詰替容器に内容物を移し替えるためのリフィルであって、
前記詰替容器の開口部に挿入可能な柱状の挿入部であって、開封時に引き裂かれて開口となる開封部の形状を規定する溝が側面に形成された挿入部と、
前記開封部の一端に突設され、前記挿入部を前記詰替容器の開口部に挿入した状態において、前記詰替容器に設けられた被係合部と係合する係合片と、
を備え、
前記係合片と前記被係合部とが係合した状態において、前記挿入部を軸として前記リフィルと前記詰替容器とを相対的に回転させることにより、前記溝に沿って前記開封部が引き裂かれる
リフィル。
【請求項２】
前記開封部及び前記係合片の組を複数備える
請求項１に記載のリフィル。
【請求項３】
前記係合片は鉤状であり、前記被係合部は前記詰替容器の開口部の周囲に設けられた雄ねじ部分のねじ山に、前記挿入部の軸方向と略平行に設けられたスリットである
請求項１又は２に記載のリフィル。
【請求項４】
複数の前記係合片は、前記挿入部の軸方向の延長上から見て、前記挿入部を軸として回転対称性を有する位置に設けられる
請求項２又は３に記載のリフィル。
【請求項５】
複数の前記開封部は、前記挿入部の挿入方向の端部の位置が互いに異なる
請求項２から４のいずれか一項に記載のリフィル。
【請求項６】
前記挿入部の横断面の周囲に前記挿入部と略平行に延在する壁面をさらに備える
請求項１から５のいずれか一項に記載のリフィル。
【発明の詳細な説明】
【技術分野】
【０００１】
本発明は、リフィルに関する。
【背景技術】
【０００２】
従来、再使用可能な詰替容器に液体製品等を移し替えて使用するための詰替製品であるリフィルが使用されている。リフィルを用いることには、廃棄物の削減や、容器を製造するための資源の浪費防止、製品価格の低減といった利点がある。
【０００３】
また、注入口の開口端縁にフック部を係合させ、容器の注出筒を本容器の注入口へ差し込むように移動させることで、注出筒の閉塞板に引張力を作用させることができるというリフィルも提案されている（例えば特許文献１）。このリフィルは、弱体部を破断しながら閉塞板を徐々に捲るように変形させ、閉塞していた抽出口を開放することができるとされている。
【０００４】
また、リフィル（「詰替容器」）の注出ノズルを本容器本体の口部に挿入し、本容器本体の上部にリフィルを倒立させた状態で自立させるという詰替方法（例えば特許文献２）や、繰り返し使用容器の開口部周縁に嵌合、連結させることができるというリフィル（例えば特許文献３）も提案されている。
【先行技術文献】
【特許文献】
【０００５】
【特許文献１】特開２０１４−１２９１００号公報
【特許文献２】特開２０１１−１８４０６０号公報
【特許文献３】特許第４３５２６７１号公報
【発明の概要】
【発明が解決しようとする課題】
【０００６】
従来、様々なリフィルが提案されている。パウチ等のような剛性の低い簡易包装の場合、詰め替える際には使用者が詰替容器の口元にリフィルの抽出口を保持する必要があるところ、バランスを崩して内容物をこぼしてしまうことがあった。また、抽出口の形状を詰替容器の口元に連結させられるようにしたボトル型のリフィルも提案されているが、まず繰り返し使用する容器を逆さにして連結する必要があるため、繰り返し使用する容器に内容物が残った状態で注ぎ足すことができないという問題があった。
【０００７】
また、リフィルの抽出口を開栓する際にも内容物がはねることがある。これに対し、抽出口を詰替容器の口に挿入して押し込む動作により、詰替容器の口元の縁に係合させたフック部とつながった閉塞板を捲るように変形させて開封するリフィルも提案されている。しかしながら、一般的にリフィルの口よりも本体部分の方が太くなっているため詰替容器の口にリフィルの口を一定以上押し込むことはできないところ、使用者が力の加減を誤ると、勢い余ってリフィルの抽出口が詰替容器の口から外れたり、詰替容器を倒してしまうおそれがあった。
【０００８】
そこで、本発明は、内容物がこぼれたりはねたりすることを抑制し、開封時の安定性を向上させたリフィルを提供することを目的とする。
【課題を解決するための手段】
【０００９】
本発明に係る再使用可能な詰替容器に内容物を移し替えるためのリフィルは、詰替容器
の開口部に挿入可能な柱状の挿入部であって、開封時に引き裂かれて開口となる開封部の形状を規定する溝が側面に形成された挿入部と、開封部の一端に突設され、挿入部を詰替容器の開口部に挿入した状態において、詰替容器に設けられた被係合部と係合する係合片とを備える。また、係合片と被係合部とが係合した状態において、挿入部を軸としてリフィルと詰替容器とを相対的に回転させることにより、溝に沿って開封部が引き裂かれる。
【００１０】
このようなリフィルによれば、詰替容器内に挿入した挿入部の側面を切り裂いて開封することができる。したがって、開封時に使用者が手などを汚すことを抑制できる。また、リフィルと詰替容器とを相対的に回転させる操作であれば力を加減し易いため、開封時に勢いを余らせて内容物をこぼすようなことが抑制できる。すなわち、内容物がこぼれたりはねたりすることを抑制できると共に、開封時の安定性を向上させることができる。
【００１１】
また、リフィルは、開封部及び係合片の組を複数備えるようにしてもよい。開封部及び係合片の組が１つの場合よりも、リフィルと詰替容器とを相対的に回転させる操作のバランスがとれる。
【００１２】
また、係合片を鉤状とし、被係合部は詰替容器の開口部の周囲に設けられた雄ねじ部分のねじ山に、挿入部の挿入方向と略平行に設けられたスリットとしてもよい。具体的にはこのような構成とすることで、係合片及び被係合部を形成することができる。
【００１３】
また、複数の係合片は、挿入部の挿入方向の延長上から見て、挿入部を軸として回転対称性を有する位置に設けられるようにしてもよい。このようにすれば、リフィルと詰替容器とを相対的に回転させる際のバランスがさらに安定する。
【００１４】
また、複数の開封部は、挿入部の挿入方向の端部の位置が互いに異なるようにしてもよい。このようにすれば、開封して形成される開口から注出される内容物の量のバランスをくずすことができ、一方を主に空気の取り入れ口として機能させることができるようになる。
【００１５】
また、挿入部の横断面の周囲に挿入部と略平行に延在する壁面をさらに備えるようにしてもよい。このようにすれば、使用者が誤って係合部に力を加えて開封してしまうようなことを低減できる。また、挿入部の周りを汚して詰め替えの際に内容物を汚染させてしまう可能性を低減できる。
【００１６】
なお、課題を解決するための手段に記載した構成は、本発明の課題や技術的思想を逸脱しない範囲で可能な限り組み合わせることができる。
【発明の効果】
【００１７】
内容物がこぼれたりはねたりすることを抑制し、開封時の安定性を向上させたリフィルを提供することができる。
【図面の簡単な説明】
【００１８】
【図１】実施形態に係るリフィルの一例を示す斜視図である。
【図２】実施形態に係るリフィルの一例を示す平面図である。
【図３】実施形態に係るリフィルの一例を示す正面図である。
【図４】実施形態に係るリフィルの一例を示す右側面図である。
【図５Ａ】実施形態に係るリフィルの使用方法を説明するための斜視図である。
【図５Ｂ】実施形態に係るリフィルの使用方法を説明するための斜視図である。
【図５Ｃ】実施形態に係るリフィルの使用方法を説明するための斜視図である。
【図６】実施形態に係るリフィルを図５ＣにおけるＡ−Ａで切断した斜視断面図である。
【図７Ａ】実施形態に係るリフィルの開封時の状態を説明するための横断面図である。
【図７Ｂ】実施形態に係るリフィルの開封時の状態を説明するための横断面図である。
【図７Ｃ】実施形態に係るリフィルの開封時の状態を説明するための横断面図である。
【図８】変形例１に係るリフィルの蓋部を示す斜視図である。
【図９】変形例２に係るリフィルの蓋部を示す平面図である。
【図１０】変形例３に係るリフィルの蓋部を示す平面図である。
【図１１】変形例４に係るリフィルの蓋部を示す正面図である。
【図１２】変形例５に係るリフィル及び詰替容器を示す斜視図である。
【図１３】変形例６に係るリフィルの蓋部を示す平面図である。
【発明を実施するための形態】
【００１９】
以下、図面を参照して、実施形態に係るリフィルについて説明する。なお、リフィルの構成要素の寸法、材質、形状、相対的な位置等は、特定的な記載がない限り実施形態の例には限定されない。
【００２０】
また、本実施形態に係るリフィルとは、内容物を補充して再使用することが可能な詰替容器に移し替えるための内容物を保持する詰替製品をいうものとする。本実施形態では、内容物としてシャンプー、リンス、トリートメント、コンディショナー、ローション、エッセンス等のような液状の製品を保持する、ボトル型のリフィルを例に説明する。また、リフィルの材質は、充填する内容物に応じて選択することができる。例えば、ポリエチレン（ＰＥ）、ポリプロピレン（ＰＰ）、ポリエチレンテレフタラート（ＰＥＴ）等が好適であるがこれらには限定されない。
【００２１】
＜構成＞
図１は、本実施形態に係るリフィルの一例を示す斜視図である。図２は、図１に示したリフィルを鉛直上方から見た平面図である。また、図２の平面図には便宜上、前後左右を定義しており、図３は、図２に示したリフィルを前から見た正面図である。また、図４は、図２に示したリフィルを右から見た右側面図である。
【００２２】
本実施形態に係るリフィル１は、ボトル状の本体１１とリフィル１を密封する蓋部１２とを備える。本体１１は、その内部に上述した内容物を保持する容器であり、円柱に限らず任意の形状とすることができる。また、蓋部１２は、内容物を移し替える際に詰替容器の開口部に挿入する柱状の挿入部１２１と、詰替容器の開口部周囲に設けられた被係合部と係合する係合部（「係合片」とも呼ぶ）１２２と、開封するために挿入部１２１の一部を引き裂く位置を規定する溝部１２３と、本体１１に結合される部分である結合部１２４とを含む。なお、例えば円筒状の結合部１２４に雄ねじ又は雌ねじを設け、対応する雌ねじ又は雄ねじを有し内容物を保持する他の容器に着脱可能としてもよい。
【００２３】
挿入部１２１は、本体１１の一端に設けられ、中空になっている。なお、挿入部１２１についても、詰替容器の開口部に挿入可能な範囲で角柱状など任意の形状とすることができる。また、係合部１２２は、柱状である挿入部１２１の側面に突設されており、側面と接続された接続部１２２１と、一端が側面から略垂直に延設された腕部１２２２と、腕部１２２２の他端に接続され、詰替容器の開口部周囲に設けられ、被係合部と係合する鉤部１２２３とを有する。鉤部１２２３は、腕部１２２２から挿入部１２１の挿入方向に向けて伸びており、鉤部１２２３は挿入部１２１と略平行になっている。また、挿入部１２１の側面には、接続部１２２１の周囲から挿入部１２１の周方向に沿って溝部１２３が設け
られており、リフィル１を開封する際には係合部１２２を引っ張ることにより溝部１２３に沿って挿入部１２１の側面を引き裂くことができる。溝部１２３は、接続部１２２１の周囲のうち、接続部１２２１の一端（本実施形態では、挿入部１２１の側面に向かって右側）に設けられ、引き裂く処理の起点となる起点部１２３１と、起点部１２３１から連続した溝であり、挿入部１２１の横断面の周方向に沿って設けられた切り裂きガイド部１２３２とを含む。溝部１２３は挿入部１２１の側面の中でも肉厚が薄くなっており、挿入部１２１は溝部１２３に沿って側面が破断し易くなっている。そして、係合部１２２を引っ張ることにより図３にハッチングを施した開封部の周囲の溝部１２３が切り裂かれ、開封部に開口が形成される。また、溝部１２３は、いわゆる閉路を形成しないようになっており、リフィル１を開封しても挿入部１２１の側面の一部が分離することはない。なお、本実施形態では接続部１２２１を挿入部１２１の側面から突設させて明示したが、接続部１２２１は開封部の一端に設けられていれば凸状でなくてもよい。
【００２４】
＜使用方法＞
次に、リフィル１の使用方法（作用）について説明する。図５Ａ〜図５Ｃは、リフィル１の使用方法を説明するための斜視図である。図５Ａは、詰替容器２の開口部２１にリフィル１の挿入部１２１を挿入する前の状態を示している。
【００２５】
ここで、詰替容器２は再使用可能な容器であり、内容物が減少したり内容物を使い切った場合にリフィル１から充填し直すことができる。本実施形態に係る開口部２１は筒状の開口部分であり、開口部２１の外周にねじ山（「雄ねじ部」とも呼ぶ）２２を有する。開口部２１は、雌ねじ部を有する蓋やポンプ部（図示せず）を用いて閉蓋できるものとする。また、本実施形態に係るねじ山２２には、筒状である開口部２１の軸方向（すなわち、挿入部１２１の挿入方向）に沿って複数の凸部（山）にまたがるスリット２３が設けられている。スリット２３は、本実施形態ではリフィル１の係合部１２２（特に鉤部１２２３）と係合する被係合部として利用されるが、例えば産業用ロボットがボトルを掴む際の位置合わせ等の目的を兼ねていてもよい。
【００２６】
図５Ｂは、詰替え容器２の開口部２１にリフィル１の挿入部１２１を挿入し、スリット２３と係合部１２２とが係合した状態を示している。略円柱形状である挿入部１２１の横断面の外径は、筒状である開口部２１の横断面の内径よりも小さくなっており、挿入部１２１を開口部２１の中へ挿入することができる。なお、本実施形態では接続部１２２１にも挿入部１２１の径方向の厚さがあるところ、挿入部１２１の内径及び接続部１２２１の厚さよりも開口部２１の内径の方が大きくなっており、また、挿入された状態においても嵌合せず遊びを有するようになっている。
【００２７】
図５Ｃは、詰替容器２のスリット２３とリフィル１の係合部１２２とが係合した状態において、挿入部１２１及び開口部２１の周方向に、リフィル１と詰替え容器２とを相対的に回転させて開封した状態を示している。また、図６は、図５ＣにおけるＡ−Ａで切断した斜視断面図である。なお、図５Ｃに示す一点鎖線は挿入部１２１及び開口部２１の軸方向を示しており、その周囲の矢印はリフィル１が相対的に回転する方向を示している。ここで、リフィル１を開封する際に使用者は、挿入部１２１の周方向のうち、接続部１２２１から見て起点部１２３１とは反対方向に向かってリフィル１を回転させるものとする。本実施形態では、リフィル１を右回りに回転させることで、起点部１２３１を始点として溝部１２３に沿って挿入部１２１の側面が引き裂かれ、形成された開口から内容物を注出することができる。
【００２８】
図７Ａ〜図７Ｃは、図５ＣにおけるＢ−Ｂで切断した横断面図であり、リフィル１を回転させて開封する際のリフィル１及び詰替容器２の状態を段階的に示している。図７Ａに示す開口部２１に挿入部１２１を挿入した状態から、矢印で示す方向にリフィル１を回転
させると、図７Ｂに示すようにスリット２３の端部に鉤部１２２３が接触して係合部１２２が引っ張られると共に、接続部１２２１の周囲のうち引っ張られる方向と反対側の起点部１２３１に応力が集中する。さらにリフィル１を回転させると、図７Ｃに示すように肉厚が薄くなっている溝部１２３のうち起点部１２３１がまず破断し、順に切り裂きガイド部１２３２に沿って切り裂かれる。このようにして、リフィル１が開封される。
【００２９】
＜効果＞
以上のように、本実施形態に係るリフィル１によれば、リフィル１のうち詰替容器２内に挿入した部分を切り裂いて開封することができるため、開封時に使用者が手などを汚すことがなくなる。また、リフィルを詰替容器に押し込む操作よりも、リフィルと詰替容器とを相対的に回転させる操作の方が一般的に力を加減し易いため、開封時に勢いを余らせて内容物をこぼすようなことが抑制できる。すなわち、上述の実施形態に係るリフィル１の挿入部１２１の側面には横断面の周方向に沿って切り裂きガイド部１２３２が設けられており、切り裂きガイド部１２３２を弧とする中心角は９０〜１３５°程度になっているところ、使用者が手でリフィル等を一度にひねる際の回転角も同程度であり、開封時に勢いを余らせるおそれが低いといえる。したがって、本実施形態に係るリフィルによれば、内容物がこぼれたりはねたりすることを抑制し、開封時の安定性を向上させることができる。
【００３０】
また、図３に示したように接続部１２２１は鉛直方向の長さが異なっている。このようにすれば、リフィル１を開封して挿入部１２１の側面に２つの開口が形成された後、開口から注出される内容物の量のバランスを崩すことができ、一方を主に内容物の注出口として、他方を主に空気の取り入れ口として機能させ易くなる。なお、係合部１２２と挿入部１２１との接続部分のうち鉛直（すなわち、挿入部１２１の挿入方向）上端又は下端の少なくともいずれかが異なるようにすればよい。なお、接続部１２２１の鉛直方向の長さは必ずしも異なっている必要はなく、同一であってもよい。
【００３１】
＜変形例１＞
図８は、変形例１に係るリフィル１の蓋部１２を示す斜視図である。変形例については、上述した実施形態と対応する箇所に同一の符号を付し、相違点を中心に説明する。変形例１に係る蓋部１２は、使用者が誤って係合部１２２に触れてしまわないよう、挿入部１２１の周囲に接触防止部１２５を備えている。具体的には、挿入部１２１の水平方向の周囲の少なくとも一部に壁部１２５１を備える。また、壁部１２５１は、鉛直上方の端部が挿入部１２１よりも高くなっている。なお、図８の壁部１２５１は、周状接続部１２５２及び放射状接続部１２５３を介して蓋部１２の結合部１２４と接続されている。このようにすれば、意図せずにリフィル１を開封して内容物をこぼしてしまったり、挿入部１２１の周りを汚して詰め替えの際に内容物を汚染（「二次汚染」とも呼ぶ）させてしまう可能性を低減できる。また、壁部１２５１は、鉤部１２２３よりもさらに外周に設けられているため、リフィル１と詰替容器２とを相対的に回転させる際に接触防止部１２５が支障となることはない。
【００３２】
なお、壁部１２４１は、挿入部１２１の全周にわたって設けられていてもよい。また、壁部１２４１は図示したような各接続部を介して設けられるのでなく、例えば本体１１から鉛直上方に連設されていてもよい。また、接触防止部１２５は、いわゆるキャップのようなカバー部材によって形成されていてもよい。
【００３３】
＜変形例２＞
図９は、他の変形例に係るリフィル１の蓋部１２を示す平面図である。本変形例についても、上述した実施形態と対応する箇所に同一の符号を付し、相違点を中心に説明する。本変形例に係る蓋部１２は、係合部１２２が１つになっている。このような態様であって
も、詰替容器２の被係合部に係合部１２２を係合させ、リフィル１と詰替容器２とを相対的に回転させることによってリフィル１を開封することができる。
【００３４】
＜変形例３＞
図１０は、他の変形例に係るリフィル１の蓋部１２を示す平面図である。本変形例についても、上述した実施形態と対応する箇所に同一の符号を付し、相違点を中心に説明する。本変形例に係る蓋部１２は、係合部１２２が３つになっている。このような態様であっても、詰替容器２の被係合部に係合部１２２を係合させ、リフィル１と詰替容器２とを相対的に回転させることによってリフィル１を開封することができる。実施形態並びに変形例２及び変形例３に示したように、係合部１２２の数は特に限定されないが、係合部１２２を複数設ける場合は、平面視において挿入部１２１を軸として回転対称性を有するような位置に係合部１２２が突設されていると、使用者がリフィル１と詰替容器２とを相対的に回転させる際に安定性が向上するため好ましい。
【００３５】
＜変形例４＞
図１１は、他の変形例に係るリフィル１の蓋部１２を示す正面図である。本変形例についても、上述した実施形態と対応する箇所に同一の符号を付し、相違点を中心に説明する。上述した実施形態に係る切り裂きガイド部１２３２は本変形例に係る蓋部１２は、切り裂きガイド部１２３２が挿入部１２１の横断面の周方向に沿って平行に設けられていたが、本変形例に係る起点部１２３１は挿入部１２１の軸方向の長さが上述した実施形態よりも短くなっており、本変形例に係る切り裂きガイド部１２３２は挿入部１２１の横断面の周方向に沿って徐々に幅が広がるようになっている。なお、図１１においても開口が形成される開封部にハッチングを施しており、また、背面側に設けられた切り裂きガイド部１２３２を破線で示している。このように、起点部１２３１を小さくすることにより、係合部１２２を引っ張る際の応力を小さな領域に集中させることができ、より小さな力で開封できるようになる。
【００３６】
また、上述した実施形態又は変形例に示した溝部１２３の深さは、起点部１２３１内の少なくとも一部が最も深くなるように形成してもよい。このように破断し易い箇所を設けることにより容易に開封できるようになる。さらに、溝部１２３は、この最も深い部分から徐々に浅くなるように形成されていてもよい。
【００３７】
＜変形例５＞
図１２は、他の変形例に係るリフィル１の蓋部１２及び詰替容器２を示す斜視図である。本変形例についても、上述した実施形態と対応する箇所に同一の符号を付し、相違点を中心に説明する。本変形例に係る詰替容器２は、筒状の開口部２１の鉛直上端にリフィル１の腕部１２２２と係合する切欠き２４を有している。そして、スリット２３及び切欠き２４が、リフィル１の係合部１２２と係合する被係合部として働く。このように、被係合部はねじ山に設けられたスリット以外の態様であってもよく、例えば切欠き２４のみとしてもよい。
【００３８】
以上のような変形例に係る態様であっても、リフィル１と詰替容器２とを相対的に回転させて開封することができ、内容物がこぼれたりはねたりすることを抑制できると共に、開封時の安定性を向上させることができる。
【００３９】
＜変形例６＞
図１３は、他の変形例に係るリフィル１の蓋部１２を示す平面図である。リフィル１の係合部１２２が接続された位置及び係合部１２２が伸びる方向は、平面視において蓋部１２（挿入部１２１）の中心を外れていてもよい。換言すれば、平面視において、係合部１２２は、蓋部１２の中心から放射状に伸びていなくてもよい。例えば図１３の例では、厚
さを有する係合部１２２のうち、起点部１２３１と接続された面が、平面視において一直線状になっており、係合部１２２は蓋部１２の中心から放射状に伸びていない。
【００４０】
＜変形例７＞
上述した実施形態又は変形例に係る蓋部１２について、例えば円筒状の結合部１２４に雄ねじ又は雌ねじを設け、対応する雌ねじ又は雄ねじを有し内容物を保持する他の容器に着脱可能としてもよい。すなわち、本発明は、リフィルの蓋（注出口の構造）として特定することもできる。このようにすれば、様々な容器を、使用者が手などを汚さずに開封及び詰め替えができるリフィルとして使用するための、交換可能な蓋を提供することができる。
【符号の説明】
【００４１】
１      リフィル
１１      本体
１２      蓋部
１２１      挿入部
１２２      係合部
１２２１      接続部
１２２２      腕部
１２２３      鉤部
１２３      溝部
１２３１      起点部
１２３２      切り裂きガイド部
１２４      結合部
１２５      接触防止部
１２５１      壁部
１２５２      周状接続部
１２５３      放射状接続部
２      詰替容器
２１      開口部
２２      ねじ山
２３      スリット
２４      切欠き
【図１】
2016153321.tif 000003
【図２】
2016153321.tif 000004
【図３】
2016153321.tif 000005
【図４】
2016153321.tif 000006
【図５Ａ】
2016153321.tif 000007
【図５Ｂ】
2016153321.tif 000008
【図５Ｃ】
2016153321.tif 000009
【図６】
2016153321.tif 000010
【図７Ａ】
2016153321.tif 000011
【図７Ｂ】
2016153321.tif 000012
【図７Ｃ】
2016153321.tif 000013
【図８】
2016153321.tif 000014
【図９】
2016153321.tif 000015
【図１０】
2016153321.tif 000016
【図１１】
2016153321.tif 000017
【図１２】
2016153321.tif 000018
【図１３】
2016153321.tif 000019